(57)【特許請求の範囲】
【請求項１】
全記録マークを含んだジッタ、もしくは最短記録マークのみのジッタが最小になる記録パワーと、少なくとも最短マークとそれ以外のマークに対して異なる記録ストラテジを用いて光情報記録媒体にマークを記録する記録方法において、
初期ストラテジに対し、第１の最適記録パワーでジッタが最小となる短マーク用の記録ストラテジを決定する第１の工程と、
前記初期ストラテジと前記第１の最適記録パワーによって記録された最長記録マークと、理論マーク長とのずれ量を評価する第２の工程と、
前記ずれ量を基に前記初期ストラテジで記録された最長記録マークの最適記録パワーを第２の最適記録パワーとして決定する第３の工程を有し、
前記第１の最適記録パワーと前記第２の最適記録パワーが相違するときは、前記第２の最適記録パワーを前記第１の最適記録パワーとして前記第１乃至第３の工程を再度実行し、
前記第１の最適記録パワーと前記第２の最適記録パワーが等しくなったときは、その記録パワーと前記短マーク用の記録ストラテジを各々最適記録パワーと最適記録ストラテジとすることを特徴とする記録方法。
【請求項２】
少なくとも、最短マークとそれ以外のマークに対して異なる記録ストラテジを用いて光情報記録媒体にマークを記録する光情報記録装置において、
請求項１に記載の記録方法で最適記録パワーと最適記録ストラテジを得る探索手段を設けたことを特徴とする光情報記録装置。
【発明の詳細な説明】
【０００１】
【発明の属する技術分野】
本発明は光情報記録媒体に適した記録ストラテジを求める記録方法及び光情報記録装置に関する。
【０００２】
【従来の技術】
光情報記録装置には、マークの記録ストラテジによりレーザ光源の発光パワーを変調して光情報記録媒体にマークを記録する光情報記録装置が知られている。この光情報記録装置では、例えば特開平７ー２２５９４８号公報、特開平１０ー６４０６５号公報に示されているように、光情報記録媒体は記録材料の熱分解特性、凝集状態変化特性や基板の溝形状、記録密度、記録線速度などの多くの条件により記録特性が変化してしまうため、記録ストラテジは記録特性を左右する重要な因子である。
【０００３】
ジッタを最小化するためには記録パワーのみでは対応しきれない場合が多い。
また、近年、記録ストラテジを前後のマーク、スペースの関係まで含めて任意に変化させられる信号発生器も市販されている。
従来の記録ストラテジ評価方法あるいは記録ストラテジ決定方法は、基本的にはジッタ値に主眼がおかれ、ジッタがミニマムになるという条件でのみ記録ストラテジを評価しあるいは決定している。また、各マークもしくはスペースの理論的ずれを評価する記録ストラテジ評価方法あるいは記録ストラテジ決定方法もあるが、通常、マーク長に応じて異なる記録ストラテジを用いる場合が多い。
【０００４】
【発明が解決しようとする課題】
従来の記録ストラテジ評価方法あるいは記録ストラテジ決定方法では、各マークもしくはスペースの理論的ずれを評価する場合もあるが、基本的にはジッタ値に主眼がおかれ、ジッタがミニマムになるという条件でのみ記録ストラテジを評価しあるいは決定しているので、光情報記録媒体によっては同期マーク等の長マークが理論的ずれを生じている場合でも、それを評価しないという問題がある。
【０００５】
また、全てのマークの理論値からのずれを最適化するように記録ストラテジを変える記録ストラテジ評価方法あるいは記録ストラテジ決定方法は、通常、短マークと長マークの記録ストラテジを別に用いる場合が多いため、最適化効率が悪く、無意味な最適化となってしまう恐れがある。ここに、マークの理論値からのずれは、周知のようにマークの理論マーク長とのずれをいう。
また、前後のマーク、スペースの関係まで含めて記録ストラテジの最適化を図る方法は、設定の箇所が非常に多く、また手順が煩雑で非常に多くの時間かを必要とすることから、容易に自動化できないという問題がある。
【０００６】
本発明は、個々の光情報記録媒体に適した記録ストラテジを簡便に求めることができる記録方法及び光情報記録装置を提供することを目的とする。
【０００７】
【課題を解決するための手段】
上記目的を達成するため、請求項１に係る発明は、全記録マークを含んだジッタ、もしくは最短記録マークのみのジッタが最小になる記録パワーと、少なくとも最短マークとそれ以外のマークに対して異なる記録ストラテジを用いて光情報記録媒体にマークを記録する記録方法において、初期ストラテジに対し、第１の最適記録パワーでジッタが最小となる短マーク用の記録ストラテジを決定する第１の工程と、前記初期ストラテジと前記第１の最適記録パワーによって記録された最長記録マークと、理論マーク長とのずれ量を評価する第２の工程と、前記ずれ量を基に前記初期ストラテジで記録された最長記録マークの最適記録パワーを第２の最適記録パワーとして決定する第３の工程を有し、前記第１の最適記録パワーと前記第２の最適記録パワーが相違するときは、前記第２の最適記録パワーを前記第１の最適記録パワーとして前記第１乃至第３の工程を再度実行し、前記第１の最適記録パワーと前記第２の最適記録パワーが等しくなったときは、その記録パワーと前記短マーク用の記録ストラテジを各々最適記録パワーと最適記録ストラテジとすることを特徴とする。
【０００８】
請求項２に係る発明は、少なくとも、最短マークとそれ以外のマークに対して異なる記録ストラテジを用いて光情報記録媒体にマークを記録する光情報記録装置において、請求項１に記載の記録方法で最適記録パワーと最適記録ストラテジを得る探索手段を設けたものである。
【００１１】
【発明の実施の形態】
本発明の実施形態の記録ストラテジ評価方法及び最適ストラテジ評価装置は、全記録マークを含んだジッタ、あるいは最短記録マークのジッタと最長記録マークの理論値からのずれ量のみを用いることに特徴がある。基本的に記録頻度の大きい最短記録マークは他の記録マークに比べて記録マークが形成されずらいため、最短記録マークとそれ以外の記録マークの記録ストラテジは一般的に独立させる場合が多い。
【００１２】
また、最長記録マークは、記録レーザ光の熱伝導の影響により、いわゆる涙目型記録マーク化（非対称化）が一番顕著になる。そのため、最短記録マークと最長記録マークとの間の記録状態の差が最も顕著になる。本発明の実施形態は、この現象を利用し、最適記録ストラテジを決定する。
【００１３】
本発明の実施形態では、最短記録マーク評価としては、全記録マークを含んだジッタ、あるいは最短記録マークのジッタを用いる。これは、本来最短記録マークのジッタを評価すべきであるが、最短記録マークの頻度が通常最も多いため、全記録マークを含んだジッタは最短記録マークのジッタに大きく左右されるためであり、測定の都合上で全記録マークを含んだジッタと最短記録マークのジッタとのどちらを用いてもよい。
【００１４】
最長記録マークの評価は、最長記録マークの理論値からのずれ量により行う。最長記録マークは、通常同期マークなどに用いられるため、他の記録マークとの判別が容易で測定が簡単となる。
なお、最長記録マークの評価として最長記録マークのジッタを用いないのは、ジッタよりも記録マークの理論値からのずれ量の方が、非常に安定した測定が可能であるからであり、他の記録マークと干渉する恐れがないためである。
【００１５】
また、最短記録マーク評価として記録マーク幅の理論値からのずれ量を用いないのは、記録状態が良くない場合（ジッタが悪い場合）、最短記録マークは次に長い記録マークと時間的、長さ的に近接して互いに干渉して両者を単独で測定することが困難になるためである。すなわち、上述の記録マーク間の干渉がある場合、最短記録マークの平均値は正確な測定が不能になるためである。
本発明の実施形態は、このような記録ストラテジ決定方法を用いることで、容易に個々の光情報記録媒体に適した記録ストラテジを決定することが可能になる。
【００１６】
また、この記録ストラテジ決定方法は、記録／再生ドライブ装置にも適用することができる。すなわち、現状のＣＤ−Ｒ等でも記録レーザ光強度最適化（ＯＰＣ：Ｏｐｔｉｍｕｍ  Ｐｏｗｅｒ  Ｃｏｎｔｒｏｌ）を行ったり、各光情報記録媒体メーカごとに記録ストラテジを変えるシステムが記録／再生ドライブ装置に組み込まれている（特開平８ー２４９６６２号公報）。これは、光情報記録媒体が環境温度やレーザ光源の波長変動等によって同一記録条件でも同一に記録／再生ができないという事実からきている。
【００１７】
本発明の実施形態の記録ストラテジ決定方法を用いれば、従来から行われているＯＰＣと併用することで、より信頼性の高い記録が可能となる。
本発明の実施形態の記録ストラテジ決定方法は、光情報記録媒体の種類や記録／再生波長に関係なく適用可能である。
【００１８】
図１及び図２は本発明の一実施形態の記録ストラテジ評価方法及び最適ストラテジ評価装置を示す。この最適ストラテジ評価装置は記録ストラテジ決定手段１を有する。光情報記録装置は、光情報記録媒体をスピンドルモータで回転させ、少なくとも、最短マークとそれ以外のマークに対して異なる記録ストラテジを用いて光情報記録媒体にマークを記録する。この光情報記録装置は変調器２及び光ピックアップ３などを有する。記録ストラテジ決定手段１は、最長マークによる最適記録パワー判断手段４、ジッタ最小記録パワー判断手段５、記録ストラテジ判断手段６及びストラテジ調整手段７からなり、個々の光情報記録媒体８に適した記録ストラテジを決定する。
【００１９】
まず、最長マークによる最適記録パワー判断手段４は最長記録マークの任意に設定した記録ストラテジで記録パワーを連続的に変化させる信号を変調器２へ出力する。変調器２は、最長マークによる最適記録パワー判断手段４からの信号により、任意に設定した記録ストラテジを用いて、光ピックアップ３におけるレーザ光源としての半導体レーザを記録パワーが連続的に変化するように変調駆動する。光ピックアップ３は、上記半導体レーザからの記録パワーのレーザ光を光学系を介して光情報記録媒体８に照射して光情報記録媒体８上に全記録マーク、あるいは最短記録マーク及び最長記録マークを記録させ、上記半導体レーザからの再生パワーのレーザ光を光学系を介して光情報記録媒体８に照射してその反射光を光学系を介して受光素子で受光して再生信号を得る。
【００２０】
最長マークによる最適記録パワー判断手段４は光ピックアップ３からの最長記録マークに対する再生信号から最長記録マークの最適記録パワーＰ1を評価し、最長記録マークの理論値からのずれ量が最小になる最適記録パワーＰ1を求める。ジッタ最小記録パワー判断手段５は光ピックアップ３からの最短記録マーク（あるいは全記録マーク）の再生信号から最短記録マークのみのジッタ（あるいは全記録マークを含んだジッタ）が最小になる記録パワーＰ2を評価し、記録パワーＰ2を求める。
【００２１】
記録ストラテジ判断手段６は、最長マークによる最適記録パワー判断手段４で求めた最適記録パワーＰ1と、ジッタ最小記録パワー判断手段５で求めた記録パワーＰ2とが略等しいかどうかを判断する。ストラテジ調整手段７は、記録ストラテジ判断手段６の判断結果によりＰ1≒Ｐ2でなければ、設定されている記録ストラテジを変更し前記手順を繰り返し行う。
【００２２】
このように、ストラテジ調整手段７により記録ストラテジを変えながらＰ1≒Ｐ2になるまで最長マークによる最適記録パワー判断手段４で最長記録マークの理論値からのずれ量が最小になる最適記録パワーＰ1の評価と、ジッタ最小記録パワー判断手段５で最短記録マークのみのジッタ（あるいは全記録マークを含んだジッタ）が最小になる記録パワーＰ2の評価を行い、記録ストラテジ判断手段６はＰ1≒Ｐ2になるとそのとき設定されている記録ストラテジを最適記録ストラテジとして決定する。
この実施形態によれば、個々の光情報記録媒体に適した記録ストラテジを簡便に求めることができる。
【００２３】
図３及び図４は本発明の他の実施形態の記録ストラテジ評価方法及び最適ストラテジ評価装置を示し、この実施形態は請求項１、２に係る発明の一実施形態である。この最適ストラテジ評価装置は、光情報記録媒体８をスピンドルモータで回転させ、記録ストラテジ決定手段１１を有する。光情報記録装置は、記録ストラテジを用いて光情報記録媒体８にマークを記録する。この光情報記録装置は変調器２及び光ピックアップ３などを有する。記録ストラテジ決定手段１１は、最長マークによる最適記録パワー判断手段１２、最短マーク用ストラテジ調整手段１３、最長マークによる最適記録パワー判断手段１４及び記録ストラテジ判定手段１５からなり、光情報記録媒体８に適した記録ストラテジを決定する。
【００２４】
まず、最長マークによる最適記録パワー判断手段１２は任意に設定した記録ストラテジＳ1を用いて、記録パワーを連続的に変化させる信号を変調器２へ出力する。変調器２は、最長マークによる最適記録パワー判断手段１２からの信号により、任意に設定した記録ストラテジＳ1を用いて、光ピックアップ３におけるレーザ光源としての半導体レーザを変調駆動する。光ピックアップ３は、上記半導体レーザからの記録パワーのレーザ光を光学系を介して光情報記録媒体８に照射して光情報記録媒体８上に全記録マーク、あるいは最短記録マーク及び最長記録マークを記録させ、上記半導体レーザからの再生パワーのレーザ光を光学系を介して光情報記録媒体８に照射してその反射光を光学系を介して受光素子で受光して再生信号を得る。
【００２５】
最長マークによる最適記録パワー判断手段１２は光ピックアップ３からの最長記録マークに対する再生信号から記録ストラテジＳ1における最長記録マークの理論値からのずれ量を評価し、この記録ストラテジＳ1での最長記録マークの理論値からのずれ量より記録ストラテジＳ1での最長記録マークの最適記録パワーＰ10を決定する。
【００２６】
次に、最短マーク用ストラテジ調整手段１３は最長マークによる最適記録パワー判断手段１２により決定した最適記録パワーＰ10で短マークの記録ストラテジを連続的に変化させる信号を変調器２へ出力し、変調器２は最短マーク用ストラテジ調整手段１３からの信号により光ピックアップ３の半導体レーザを変調駆動する。
【００２７】
光ピックアップ３は、上記半導体レーザからの記録パワーのレーザ光を光学系を介して光情報記録媒体８に照射して光情報記録媒体８上に全記録マーク、あるいは最短記録マーク及び最長記録マークを記録させ、上記半導体レーザからの再生パワーのレーザ光を光学系を介して光情報記録媒体８に照射してその反射光を光学系を介して受光素子で受光して再生信号を得る。最短マーク用ストラテジ調整手段１３は光ピックアップ３からの再生信号より最適記録パワーＰ10で全記録マークを含んだジッタ、もしくは最短記録マークのみのジッタが最小になる短マーク用の最適記録ストラテジＳ2を決定する。
【００２８】
次に、最長マークによる最適記録パワー判断手段１４は任意に設定した記録ストラテジＳ1を用いて、記録パワーを連続的に変化させる信号を変調器２へ出力する。変調器２は、最長マークによる最適記録パワー判断手段１４からの信号により、任意に設定した記録ストラテジＳ1を用いて、光ピックアップ３の半導体レーザを記録パワーが連続的に変化するように変調駆動する。光ピックアップ３は、上記半導体レーザからの記録パワーのレーザ光を光学系を介して光情報記録媒体８に照射して光情報記録媒体８上に全記録マーク、あるいは最短記録マーク及び最長記録マークを記録させ、上記半導体レーザからの再生パワーのレーザ光を光学系を介して光情報記録媒体８に照射してその反射光を光学系を介して受光素子で受光して再生信号を得る。
【００２９】
最長マークによる最適記録パワー判断手段１４は、光ピックアップ３からの最長記録マークに対する再生信号から記録ストラテジＳ1における最長記録マークの理論値からのずれ量を評価し、この記録ストラテジＳ1での最長記録マークの理論値からのずれ量より記録ストラテジＳ1での最長記録マークの最適記録パワーＰ２０を決定する。
【００３０】
記録ストラテジ判断手段１５は、最長マークによる最適記録パワー判断手段１２で求めた最適記録パワーＰ10と、最長マークによる最適記録パワー判断手段１４で求めた最適記録パワーＰ20とが略等しいかどうかを判断する。最短マーク用ストラテジ調整手段１３はＰ10≒Ｐ20でなければ最適記録パワーをＰ10からＰ20に変更して記録ストラテジＳ2をクリアし、再び短マークの最初の記録ストラテジＳ2を求める手順へと戻る。
【００３１】
したがって、上述した最適記録パワーＰ１０で全記録マークを含んだジッタ、もしくは最短記録マークのみのジッタが最小になる短マーク用の最適記録ストラテジＳ２を決定する動作、記録ストラテジＳ1で最長記録マークの理論値からのずれ量を評価してこのずれ量より記録ストラテジＳ1での最長記録マークの最適記録パワーＰ２０を決定する動作、Ｐ１０≒Ｐ２０であるかどうかを判断してＰ１０≒Ｐ２０でなければ最適記録パワーをＰ１０からＰ２０に変更して記録ストラテジＳ２をクリアし再び短マークの記録ストラテジを連続的に変化させる動作がＰ１０≒Ｐ２０になるまで繰り返して行われる。
【００３２】
但し、この時、Ｐ10＝Ｐ20に達しない場合は最適記録パワーが存在しない旨の表示をしてもよいし、又初期のストラテジを調整し、再度最適記録パワーと最適ストラテジを求めるようにしてもよい。
【００３３】
記録ストラテジ判断手段１５は、Ｐ10≒Ｐ20になると、そのとき設定されている記録ストラテジを最適記録ストラテジとして決定する。
この実施形態によれば、個々の光情報記録媒体に適した記録ストラテジを簡便に求めることができる。
【００３４】
次に、本発明の実施例について説明する。この実施例は、最適記録ストラテジ決定方法の実施例であり、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）Ｐａｒｔ１  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されている推奨ストラテジを用い、ＤＶＤ用基板（トラックピッチ０．８μｍ）／主としてポルフィラジン系色素からなる記録層／金反射層からなる光情報記録媒体に、線速度３．８４（ｍ／ｓ）、記録周波数２６．１６（ＭＨｚ）で記録パワーを１１．０（ｍｗ）〜１４．０（ｍｗ）変化させて記録を行った。
【００３５】
上記推奨ストラテジは、図５に示すように、４Ｔ（Ｔはクロックの周期）から１４Ｔの各記録パルス（ｗｒｉｔｅ  ｐｕｌｓｅ）ではトップパルスとマルチパルスからなり、このマルチパルスは周期がＴでパルス幅がＴｍｐである。３Ｔの記録パルスはトップパルスのみである。トップパルスのパルス幅Ｔｔｏｐは記録データの長さＴｗｄによって選択される。ここに、
Ｔｔｏｐ＝１．２５Ｗｈｅｎ  Ｔｗｄ＝３Ｔ
Ｔｔｏｐ＝１．２０Ｗｈｅｎ  Ｔｗｄ≧４Ｔ
Ｔｍｐ＝０．６６Ｔ
である。
【００３６】
この記録に対してジッタと１４Ｔスペース（Ｓｐａｃｅ）幅Ｓと１４Ｔマーク（Ｐｉｔ）幅Ｐの差Ｓ−Ｐを測定する実験を行った。記録／再生はパルステック工業（株）のＤＤＵ−１０００（波長６３５ｎｍ、ＮＡ０．６０）を用いて行い、マーク／スペース幅、及びジッタ測定には横河電機（株）製タイムインターバルアナライザＴＡ３２０を用いた。
【００３７】
その結果は、図６に示す通りであり、１４Ｔマークが最適に記録されたパワー（１４Ｔスペース幅と１４Ｔマーク幅の差が最小となる記録パワー（Ｗｒｉｔｅ  Ｐｏｗｅｒ）。１４Ｔマーク幅の理論値からのずれ量とほぼ同一）と３Ｔ、４Ｔ等の短マークが最適に記録される記録パワー（測定したジッタは３Ｔ〜１４Ｔの全てのマークのジッタ（Ｊｉｔｔｅｒ）が含まれているが、各マークの頻度からジッタは３Ｔ、４Ｔ等のマークに支配される）はずれを生じており、１４Ｔマークが最適に記録されるパワーでは短マークが良好に記録されない（長マークが良好に記録できる記録パワーでは短マークは感度不足となっている）。
【００３８】
したがって、この結果をもとに１４Ｔのマークが最適に記録された記録パワー（１１．５（ｍｗ））で、３Ｔのパルス幅を変化させて記録を行った。この時の記録条件は３Ｔパルス幅以外は上記実験と同様である。この結果は図７に示す通りであり、上述の実験と同様にジッタと１４Ｔスペース幅Ｓと１４Ｔマーク幅Ｐの差Ｓ−Ｐを測定したところ、この光情報記録媒体では記録パワー１１．５（ｍｗ）、記録ストラテジ
Ｔｔｏｐ＝１．３０Ｗｈｅｎ  Ｔｗｄ＝３Ｔ
Ｔｔｏｐ＝１．２０Ｗｈｅｎ  Ｔｗｄ≧４Ｔ
Ｔｍｐ＝０．６６Ｔ
で１４Ｔマークが最適に記録される３Ｔパルス幅と短マークが最適に記録される３Ｔパルス幅が略一致し（すなわち、１４Ｔが最適に記録されるパワーと短マークが最適に記録されるパワーが略一致していることを意味する）良好な記録が行われることがわかった。また、この実験から容易にこの操作を繰り返すことで、より細かな最適ストラテジが求められることがわかった。
【００３９】
【発明の効果】
以上のように請求項１に係る発明によれば、上記構成により、個々の光情報記録媒体に適した記録ストラテジと最適記録パワーを簡便に求めることができる。
【００４０】
請求項２に係る発明によれば、上記構成により、個々の光情報記録媒体に適した記録ストラテジと最適記録パワーを簡便に求めることができる。
【図面の簡単な説明】
【図１】本発明の一実施形態の記録ストラテジ評価方法を示すフローチャートである。
【図２】同実施形態の最適ストラテジ評価装置を示すブロック図である。
【図３】本発明の他の実施形態の記録ストラテジ評価方法を示すフローチャートである。
【図４】同実施形態の最適ストラテジ評価装置を示すブロック図である。
【図５】同実施形態の記録ストラテジを説明するための図である。
【図６】本発明の実施例の実験結果を示す特性図である。
【図７】同実施例の他の実験結果を示す特性図である。
【符号の説明】
１      記録ストラテジ決定手段
２      変調器
３      光ピックアップ
４      最長マークによる最適記録パワー判断手段
５      ジッタ最小記録パワー判断手段
６      記録ストラテジ判断手段
７      ストラテジ調整手段
８      光情報記録媒体
１１      記録ストラテジ決定手段
１２      最長マークによる最適記録パワー判断手段
１３      最短マーク用ストラテジ調整手段
１４      最長マークによる最適記録パワー判断手段
１５      記録ストラテジ判定手段
【図１】
0003708713.tif 000002
【図２】
0003708713.tif 000003
【図３】
0003708713.tif 000004
【図４】
0003708713.tif 000005
【図５】
0003708713.tif 000006
【図６】
0003708713.tif 000007
【図７】
0003708713.tif 000008